(57)【特許請求の範囲】
【請求項１】
重量体の金属ボールが複数個内蔵される移動型ボールケースと、凹溝部が形成されたレール部を有するレール構造物を含むパッティング筋力器であって、
前記移動型ボールケースは複数個の前記金属ボールの上面の一部が覆われるものであって、一定間隔で離隔した複数個のケースを含み、
前記移動型ボールケースは、ユーザが保持するパッティングクラブにより打撃されて、前記凹溝部に沿って移動することで、前記ユーザの筋肉に負荷を与えることを特徴とする、パッティング筋力器。
【請求項２】
前記ケースは、
前記金属ボールの上部が覆われる上部ケースと、
前記上部ケースの内側面に結合され、かつ金属ボールが内部に配置される下部ケースと、を含み、
前記移動型ボールケースは、隣り合う前記下部ケースの間を連結する連結部を備える、請求項１に記載のパッティング筋力器。
【請求項３】
前記上部ケースは、中空で、かつ下側面が開放されて金属ボールの上面が覆われる上部ケース本体と、前記上部ケース本体の内側面に凹溝が形成される凹溝部とを含み、
前記下部ケースは上部ケース本体の下部内側面に挿入されるものであって、中空で、かつ上下側面が開放され、前記金属ボールが内部に配置される一方、金属ボールの下側の一部が露出する下部ケース本体と、前記下部ケース本体の外側面に突出して前記凹溝部に挿入される係止段とを含むことを特徴とする、請求項２に記載のパッティング筋力器。
【請求項４】
前記上部ケース本体から水平方向に突出して形成されており、前記上部ケース本体が水平方向の面において回転することによって、前記上部ケースの間隔を調整するカム部材をさらに含むことを特徴とする、請求項２または請求項３に記載のパッティング筋力器。
【請求項５】
前記連結部は一対の前記下部ケースを連結する板体形状の連結板と、
前記連結板の上に突出形成され、前記連結板が前記下部ケースを連結する方向に配置される複数個の突出リブを含むことを特徴とする、請求項２から請求項４のいずれか１項に記載のパッティング筋力器。
【請求項６】
前記レール構造物は、
前記金属ボールが安着するように凹溝部が形成されるレール部と、
前記レール部の一側に配置される踏み台と、
を含むことを特徴とする、請求項１から請求項５のいずれか１項に記載のパッティング筋力器。
【請求項７】
前記レール部は、前記金属ボールの一部が接するＵ字形状の凹溝部が形成されるレール本体と、前記レール本体の一側面に凹溝が形成され、前記踏み台が挿入される踏み台締結部と、前記レール本体の両側端に設置されるカバー部材とを含み、
前記踏み台は、ユーザが踏む踏み台本体と、前記踏み台本体の上に表示される足表示部と、前記レール本体の一側に表示されて距離を示すパッティング距離表示部とを含むことを特徴とする、請求項６に記載のパッティング筋力器。
【請求項８】
請求項１から請求項７のうちのいずれか一項に記載されたパッティング筋力器を用いる筋力向上方法であって、
ユーザが踏み台本体の足表示部の上に位置した状態でパッティングクラブを前記ケースの間の連結部の上面に配置した後、
前記パッティングクラブで下部ケースまたは上部ケースを打撃して前記移動型ボールケースを移動させ、
前記金属ボールが前記上部ケースと下部ケースの内部で回転し、かつ前記金属ボールの下部の一側はレール本体の凹溝部の上を移動することを特徴とする、パッティング筋力向上方法。
【請求項９】
前記上部ケースの上部ケース本体を回転してカム部材の位置を変更してパッティングクラブの厚さに合うように上部ケースの間隔を調節することを特徴とする、請求項８に記載のパッティング筋力向上方法。
【請求項１０】
前記レール本体の凹溝部が特定の深さを有するように形成され、前記移動型ボールケースの全体が、前記レール本体の長手方向に直交する鉛直面において特定の角度に傾くように配置された後、
前記パッティングクラブで前記下部ケースまたは前記上部ケースを打撃して前記移動型ボールケースを移動させることを特徴とする、請求項８または請求項９に記載のパッティング筋力向上方法。
【請求項１１】
前記移動型ボールケースの移動距離をパッティング距離表示部により測定することを特徴とする、請求項８から請求項１０のいずれか１項に記載のパッティング筋力向上方法。
【発明の詳細な説明】
【技術分野】
【０００１】
本発明は、パッティング筋力器及びパッティング筋力向上方法に関する。
【背景技術】
【０００２】
ゴルフはさまざまな形態のホールを巡りながらドライブショット、アイアンショット、バンカーショット、及びパッティングなどを行ってパッティンググリーンのホールカップにゴルフボールを入れる競技である。
【０００３】
その中でもパッティングはゴルフ競技の最後を取りまとめる段階であって、ゴルフの実力の向上のためには正確なパッティング技術の習得が絶対的な比重を占めるといえる。
【０００４】
パッティングを練習するために、練習装置は、パッティングクラブのスイング軌跡をガイドするか、または多様な地形形状を備えてパッティング時に作用させる力を調節するようにすることが一般的である。
【０００５】
しかしながら、このような従来技術の場合、単純にゴルフボールを転がす練習方法に過ぎず、パッティングに必要な筋力を向上させることには限界があるという問題点があった。
【発明の概要】
【発明が解決しようとする課題】
【０００６】
したがって、本発明は前述した問題点を解決するためのものであって、重量体の金属ボールを用いてパッティングに必要な筋力を向上させることは勿論、鍛練された筋肉がパッティング方法を記憶できるようにして、パッティング実力を向上させることができるパッティング筋力器、及びこれを用いたパッティング筋力向上方法を提供することをその目的とある。
【０００７】
しかしながら、本発明の目的は前記に言及された目的に制限されず、言及されていない更に他の目的は、以下の記載から当業者に明確に理解されるべきである。
【課題を解決するための手段】
【０００８】
前記の目的を達成するための本発明は、重量体の金属ボールＢが複数個内蔵される移動型ボールケース１００及び前記金属ボールＢが安着して移動するレール構造物２００を含むパッティング筋力器であって、前記移動型ボールケース１００は前記複数個の金属ボールＢの上面の一部が覆われるものであって、一定間隔離隔した複数個のケースＣを含むパッティング筋力器を提供する。
【０００９】
また、前記ケースＣは、前記金属ボールＢの上部が覆われる上部ケース１２０、前記上部ケース１２０の底面に結合され、かつ金属ボールＢが内部に配置される下部ケース１１０、及び前記下部ケース１１０の間に配置される連結部１３０を含んでもよい。
【００１０】
また、前記上部ケース１２０は中空で、かつ下側面が開放されて金属ボールＢの上面が覆われる上部ケース本体１２１と、前記上部ケース本体１２１の内側面に凹溝される凹溝部１２２を含み、前記下部ケース１１０は上部ケース本体１２１の下部内側面に挿入されるものであって、中空で、かつ上下側面が開放され、前記金属ボールＢが内部に配置される一方、金属ボールＢの下側の一部が露出される下部ケース本体１１１と、前記下部ケース本体１１１の外側面に突出されて前記凹溝部１２２に挿入されることを係止段１１２を含んでもよい。
【００１１】
また、前記上部ケース本体１２１から水平方向に突出するカム部材１２３をさらに含んでもよい。
【００１２】
また、前記連結部１３０は一対の前記下部ケース１１０を連結する板体形状の連結板１３１と、前記連結板１３１の上に突出形成されるものであって、連結板１３１が前記下部ケース１１０を連結する方向に配置される複数個の突出リブ１３２を含んでもよい。
【００１３】
また、前記レール構造物２００は前記金属ボールＢが安着するように凹溝部Ｕが形成されるレール部２２０と、前記レール部２２０の一側に配置される踏み台２１０を含んでもよい。
【００１４】
また、前記レール部２２０は前記金属ボールＢの一部が接するＵ字形状の凹溝部Ｕが形成されるレール本体２２１と、前記レール本体２２１の一側面に凹溝が形成され、前記踏み台２１０が挿入される踏み台締結部２２３と、前記レール本体２２１の両側端に設置されるカバー部材２２２を含み、前記踏み台２１０はユーザが踏む踏み台本体２１１と、前記踏み台本体２１１の上に表示される足表示部２１２と、前記レール本体２２１の一側に表示されて距離を示すパッティング距離表示部２１３を含んでもよい。
【００１５】
また、本発明は前記パッティング筋力器を用いる筋力向上方法であって、ユーザが踏み台本体２１１の足表示部２１２の上に位置した状態でパッティングクラブＰを前記ケースＣの間の連結部１３０の上面に配置した後、前記パッティングクラブＰで前記下部ケース１１０または上部ケース１２０を打撃して前記移動型ボールケース１００を移動させ、前記金属ボールＢが前記上部ケース１２０と下部ケース１１０の内部で回転し、かつ前記金属ボールＢの下部の一側は前記レール本体２２１の凹溝部Ｕの上を移動するパッティング筋力向上方法を更に提供する。
【００１６】
また、前記上部ケース１２０の上部ケース本体１２１を回転してカム部材１２３の位置を変更してパッティングクラブＰの厚さに合うように上部ケース１２０の間隔を調節することが可能である。
【００１７】
また、前記レール本体２２１の凹溝部Ｕが特定の深さを有するように形成して、前記ケースＣが特定の角度に傾くように配置した後、前記パッティングクラブＰで前記下部ケース１１０または上部ケース１２０を打撃して前記移動型ボールケース１００を移動させることが可能である。
【００１８】
また、前記移動型ボールケース１００の移動距離を前記パッティング距離表示部２１３により測定することが可能である。
【００１９】
本発明の特徴及び利点は添付図面に基づいた次の詳細な説明により一層明白になる。
【００２０】
これに先立って、本明細書及び請求の範囲に使われた用語や単語は通常的で、かつ辞典的な意味として解釈されてはならず、発明者が自分の発明を最善の方法により説明するために用語の概念を適切に定義することができるという原則に立って本発明の技術的思想に符合する意味と概念として解釈されなければならない。
【発明の効果】
【００２１】
以上、説明された本発明により重量体の金属ボールを用いてパッティングに必要な筋力を向上させることは勿論、鍛練された筋肉がパッティング方法を記憶できるようにしてパッティング実力を向上させることができる。
【図面の簡単な説明】
【００２２】
【図１】本発明の一実施形態に係るパッティング筋力器であって、上部ケースとボールとを分離して図示した分離斜視図である。
【図２】本発明の一実施形態に係るパッティング筋力器であって、上部ケースとボールとを分離した状態の断面を図示した分離断面斜視図である。
【図３】本発明の一実施形態に係るパッティング筋力器であって、ケースとボールとが結合された状態の断面を図示した断面斜視図である。
【図４】本発明の一実施形態に係るパッティング筋力器であって、パッティングクラブとケースの位置関係を説明する斜視図である。
【図５】本発明の一実施形態に係るパッティング筋力器であって、ケースの他の例を図示する断面図である。
【図６】本発明の一実施形態に係るパッティング筋力器であって、ケースの他の例を図示する断面図である。
【図７】本発明の一実施形態に係るパッティング筋力器であって、レール構造物を示す斜視図である。
【図８】本発明の一実施形態に係るパッティング筋力器であって、レール構造物のレール部の断面を示す一部断面斜視図である。
【図９】本発明の一実施形態に係るパッティング筋力器であって、レール構造物上にケースが傾斜するように配置されたことを示す斜視図である。
【発明を実施するための形態】
【００２３】
以下、本発明の好ましい実施形態を添付した図面を参照して説明する。この過程で図面に図示された線の太さや構成要素のサイズなどは説明の明瞭性と便宜上、誇張して図示されていることがある。
【００２４】
また、後述する用語は本発明での機能を考慮して定義された用語であって、これはユーザ、運用者の意図または慣例によって変わることがある。したがって、このような用語に対する定義は本明細書の全般に亘る内容に基づいて解釈すべきである。
【００２５】
併せて、以下の実施形態は本発明の権利範囲を限定するものでなく、本発明の請求範囲に提示された構成要素の例示的な事項に過ぎず、本発明の明細書の全般に亘る技術思想に含まれ、請求範囲の構成要素で均等物として置換可能な構成要素を含む実施形態は、本発明の権利範囲に含まれることができる。
【００２６】
添付した図１は本発明の一実施形態に係るパッティング筋力器であって、上部ケースとボールとを分離して図示した分離斜視図、図２は本発明の一実施形態に係るパッティング筋力器であって、上部ケースとボールとを分離した状態の断面を図示した分離断面斜視図、図３は本発明の一実施形態に係るパッティング筋力器であって、ケースとボールとが結合された状態の断面を図示した断面斜視図、図４は本発明の一実施形態に係るパッティング筋力器であって、パッティングクラブとケースの位置関係を説明する斜視図、図５及び図６は本発明の一実施形態に係るパッティング筋力器であって、ケースの他の例を図示する断面図、図７は本発明の一実施形態に係るパッティング筋力器であって、レール構造物を示す斜視図、図８は本発明の一実施形態に係るパッティング筋力器であって、レール構造物のレール部の断面を示す一部断面斜視図、図９は本発明の一実施形態に係るパッティング筋力器であって、レール構造物上にケースが傾斜して配置されたものを示す斜視図である。
【００２７】
実施形態
本発明の一実施形態に係るパッティング筋力器１０は、図１から図５に示すように、重量体の金属ボールＢが複数個内蔵される移動型ボールケース１００と、前記金属ボールＢが安着して移動するレール構造物２００を含む。
【００２８】
この際、前記移動型ボールケース１００は前記複数個の金属ボールＢの上面の一部が覆われるものであって、一定間隔で離隔した複数個のケースＣを含む。
【００２９】
即ち、ユーザのパッティングクラブＰが前記ケースＣを打撃すれば、前記ケースＣの内部にある金属ボールＢが回転しながら移動型ボールケース１００がレール構造物２００上で移動するようになる。
【００３０】
この際、前記金属ボールＢが重い重量を有しているので、ユーザがパッティングクラブを用いて本発明の移動型ボールケース１００の打撃を続ければ、パッティングのための筋力を向上させることができるようになる。
【００３１】
前記ケースＣは、前述したように、金属ボールＢが内部に設置されるためのものであって、このために多様な形状を有することができるが、図示したように、前記金属ボールＢの上部が覆われる上部ケース１２０と、前記上部ケース１２０の底面に結合され、かつ金属ボールＢが内部に配置される下部ケース１１０を含むことができる。
【００３２】
この際、前記下部ケース１１０の間には連結部１３０が配置され、連結部１３０は前記下部ケース１１０の間を連結するようになる。
【００３３】
即ち、本発明の上部ケース１２０が金属ボールＢの上面に配置され、下部ケース１１０が上部ケース１２０の底面に設置されて、結果的に金属ボールＢがケースＣの内部に配置される。
【００３４】
この際、前記金属ボールＢの上面は前記上部ケース１２０の内側面の上部に一部接するようになった状態でユーザのパッティングクラブＰがケースＣを打撃すれば、金属ボールＢがケースＣの内部で回転するようになり、これによってケースＣが打撃方向に移動される。
【００３５】
上部ケース１２０は図示したように中空で、かつ下側面が開放されて金属ボールＢの上面が覆われる上部ケース本体１２１と、前記上部ケース本体１２１の内側面に凹溝される凹溝部１２２を含むことができる。
【００３６】
この際、下部ケース１１０は上部ケース本体１２１の下部内側面に挿入されるものであって、中空で、かつ上下側面が開放された下部ケース本体１１１を含むことができる。
【００３７】
このような下部ケース本体１１１の内部に金属ボールＢが挿入されれば、前記金属ボールＢの下側の一部は図示されたように露出する。前記露出した金属ボールＢ部分が後述するレール構造物２００に接しながら回転するようになり、これによって本発明の移動型ケース１００は移動する。
【００３８】
一方、前記下部ケース本体１１１の外側面には係止段１１２が突出して前記凹溝部１２２に挿入される。
【００３９】
即ち、下部ケース本体１１１が上部ケース本体１２１の内側面に挿入されながら前記係止段１１２が前記凹溝部１２２に挿入されて、結果的に下部ケース本体１１１が上部ケース本体１２１の内部に結合される。
【００４０】
前記係止段１１２は前述したように凹溝部１２２に挿入されて下部ケース本体１１１が上部ケース本体１２１の内側面に固定されるようにすることを目的とするところ、このような目的を達成する限り、前記係止段１１２と凹溝部１２２が異なる形状を有しても全て本発明の範疇に属することは当然である。
【００４１】
前記ケースＣの上部ケース１２０は、図１から図４に示すように、半球形状の上部ケース本体１２１を有してもよいが、図５及び図６に示すように、前記上部ケース本体１２１から水平方向に突出するカム部材１２３を備えてもよい。
【００４２】
このような本発明の上部ケース本体１２１を回転すれば、前記カム部材１２３の位置が変更されて上部ケース１２０の間の間隔を調節することができ、これによってパッティングクラブの厚さが変更されてもこれに対応することができる。
【００４３】
即ち、図５に示すように、カム部材１２３を相互対向するように配置すれば、その間の間隔が狭くなって厚さが相対的に薄いパッティングクラブを使用することができる。
【００４４】
もし、より厚さの厚いパッティングクラブを使用しようとする場合、前記上部ケース本体１２１を回転してカム部材１２３の位置を変更すればよい。例えば、図６に示すように、図面上、左側の上部ケース本体１２１のカム部材１２３が左側に向けるように配置すれば、上部ケース本体１２１の間の間隔が広くなって、より厚いパッティングクラブを使用することができる。
【００４５】
また、前記ケースＣは図示されたように２つ備えることができるが、これは本発明を説明するための一例であって、本発明はこれに限定されず、より多数、例えば３個以上備えることができる。
【００４６】
前記連結部１３０は、前述したように、下部ケース１１０の間に配置されるものであって、このために、図示したように、板体形状の連結板１３１と、前記連結板１３１の上に形成されるものであって、連結板１３１が下部ケース１１０を連結する方向に配置される複数個の突出リブ１３２を含むことができる。
【００４７】
即ち、前記連結板１３１によりケースＣの間を連結する一方、前記突出リブ１３２により連結板１３１の強度を向上させることができる。
【００４８】
これによって、ユーザのパッティングクラブＰが前記ケースＣを打撃しても連結板１３０が破損しないようにすることができる。
【００４９】
以上説明したように本発明のケース１００はパッティングクラブを用いて打撃される。以下では、前記ケース１００の内部に配置された金属ボールＢが設置されて移動するレール構造物２００に関して図７から図９を参照して説明する。
【００５０】
前記レール構造物２００は、前記金属ボールＢが安着するように凹溝部Ｕが形成されるレール部２２０と、前記レール部２２０の一側に配置される踏み台２１０を含むことができる。
【００５１】
即ち、ユーザが踏み台２１０の上に位置した状態でパッティングクラブＰを用いてケースＣを打撃すれば、前記金属ボールＢが前記凹溝部Ｕの上に配置された状態で回転し、これによって前記ケースＣが移動する。
【００５２】
したがって、このような本発明を用いてユーザが重量体の金属ボールＢを持続的に打撃するようになれば、パッティングのための筋力を向上させることができるようになる。
【００５３】
一方、前記レール部２２０は、前述したように、前記レール部２２０は前記金属ボールＢの一部が接するＵ字形状の凹溝部Ｕが形成されるレール本体２２１を含むことができる。
【００５４】
この際、前記凹溝部Ｕは、図示したように、金属ボールＢの特定の地点が接して、ケースＣが移動されるようにすることも可能である。
【００５５】
即ち、前記凹溝部Ｕは金属ボールＢが外部に離脱されず、一定経路に沿って移動できるように前記金属ボールＢが安着できる形状であれば全て本発明の範疇に属するものである。
【００５６】
また、前記レール部２２０は、前記金属ボールＢの一部が接するＵ字形状の凹溝部Ｕが形成されるレール本体２２１と、前記レール本体２２１の一側面に凹溝が形成され、前記踏み台２１０が挿入される踏み台締結部２２３と、前記レール本体２２１の両側端に設置されるカバー部材２２２を含むことができる。
【００５７】
即ち、レール部２２０に踏み台２１０が設置されなければならないので、このために、レール本体２２１の一側面、即ち、厚さ方向の側面に踏み台締結部２２３を凹溝として形成した後、前記踏み台締結部２２３に踏み台２１０を挿入して設置するものである。
【００５８】
前記カバー部材２２２は、前記レール本体２２１の長手方向の両側端に設置されるものであって、如何なる形状でも可能であり、図示したように表面に凹溝部のない平坦な形状も可能である。
【００５９】
前記踏み台２１０は、前述したように、ユーザが踏むためのものであって、このために踏み台本体２１１を備えることができる。
【００６０】
前記踏み台本体２１１は一般的に板体形状を有することができ、本発明はこれに限定されず、ユーザが踏むことができる形状であれば、前記踏み台本体２１１が異なる形状を有しても全て本発明の範疇に属することは当然である。
【００６１】
また、前記踏み台本体２１１の上にはユーザの足位置を表示する足表示部２１２が形成できる。
【００６２】
また、前記レール本体２２１の一側に表示されて距離を示すパッティング距離表示部２１３を含むことができる。
【００６３】
即ち、パッティングのための適切なユーザ位置を前記足表示部２１２により示す一方、ケースＣの移動距離を示すことができるパッティング距離表示部２１３によりユーザが移動距離を測定することができる。
【００６４】
一方、前記パッティング距離表示部２１３は移動距離を示すことができる限り、多様な構成を用いることができ、図示したように目盛りが形成された定規（scale）を用いることができる。
【００６５】
勿論、現在のケースＣの位置と移動後に停止した位置を感知するセンサーにより移動距離を示すことも可能である。
【００６６】
このためのセンサーは、物体を認識する赤外線センサーと、前記センサーから出る信号を受信、分析して移動距離を表示させる制御部を備えることができる。
【００６７】
以下、図１から図５をまた参照して、本発明のパッティング筋力器１０を用いた筋力向上方法について説明する。
【００６８】
まず、ユーザが踏み台本体２１１の足表示部２１２の上に位置した状態でパッティングクラブＰを前記ケースＣの間に配置する。
【００６９】
この際、前記パッティングクラブＰは連結部１３０の上部に配置される。
【００７０】
このような状態で前記パッティングクラブＰが前記下部ケース１１０または上部ケース１２０を打撃して、前記移動型ボールケース１００を移動させる。
【００７１】
この際、前記金属ボールＢは上部ケース１２０と下部ケース１１０の内部で回転し、前述したように金属ボールＢの下部の一部分は露出して前記レール本体２２１の凹溝部Ｕの上で移動するようになる。
【００７２】
このような本発明によりユーザが重量体の金属ボールＢが内蔵されているケースＣを打撃して移動させるので、ユーザのパッティング筋力を向上させることができる。
【００７３】
この際、前記上部ケース１２０の上部ケース本体１２１を回転してカム部材１２３の位置を変更してパッティングクラブＰの厚さに合うように上部ケース１２０の間隔を調節できることは既に説明した通りである。
【００７４】
また、前記レール本体２２１の凹溝部Ｕが特定の深さＬを有するように形成して、前記ケースＣが特定角度（θ）に傾くように配置した後、パッティングクラブＰを用いて打撃することも可能である。
【００７５】
このために、前記レール部２２０の凹溝部Ｕの深さＬを金属ボールＢの１／４に形成し、前記金属ボールＢが傾斜するようにし、ケースＣが全体的に傾斜する。
【００７６】
このような状態でパッティングクラブを用いてケースを打撃すれば、多様なパッティングの傾きを具現することができる。
【００７７】
一方、ユーザのパッティングクラブＰによりケースＣを移動させる時、前記移動型ボールケース１００の移動距離を前記パッティング距離表示部２１３により測定することも可能である。
【００７８】
即ち、前記パッティング距離表示部２１３は踏み台本体２１１の上に表示されるものであって、レール本体２２１の一側に配置される。
【００７９】
したがって、ケースＣの移動距離を前記パッティング距離表示部２１３により容易に測定することができる。
【００８０】
以上、本発明を具体的な実施形態を通じて詳細に説明したが、これは本発明を具体的に説明するためのものであって、本発明はこれに限定されず、本発明の技術的思想内で当分野の通常の知識を有する者によりその変形や改良が可能であることが明らかである。
【００８１】
本発明の単純な変形乃至変更は全て本発明の範疇に属するものであって、本発明の具体的な保護範囲は添付した特許請求範囲により明確になる。
【符号の説明】
【００８２】
１００    移動型ボールケース
１１０    下部ケース
１１１    下部ケース本体
１１２    突出段
１２０    上部ケース
１２１    上部ケース本体
１２２    凹溝部
１２３    カム部材
１３０    連結部
１３１    連結板
１３２    突出リブ
２００    レール構造物
２１０    踏み台
２１１    踏み台本体
２１２    足表示部
２１３    パッティング距離表示部
２２０    レール部
２２１    レール本体
【図１】
0006449928.tif 000002
【図２】
0006449928.tif 000003
【図３】
0006449928.tif 000004
【図４】
0006449928.tif 000005
【図５】
0006449928.tif 000006
【図６】
0006449928.tif 000007
【図７】
0006449928.tif 000008
【図８】
0006449928.tif 000009
【図９】
0006449928.tif 000010